【事件の表示】
　特願２０１１−　８１８１２「画像形成装置」拒絶査定不服審判事件〔平成２４年１１月　８日出願公開、特開２０１２−２１５７６７、請求項の数（１）〕について、次のとおり審決する。
【結　論】
　原査定を取り消す。
　本願の発明は、特許すべきものとする。
【理　由】
第１　手続の経緯
　本願は、平成２３年４月１日の出願であって、平成２７年３月２３日付け、及び平成２７年１０月２９日付けで手続補正がなされ、平成２８年３月３１日付けで平成２７年１０月２９日付けの手続補正が却下されると同時に、拒絶査定（原査定）がされ、これに対し、平成２８年６月２２日付けで拒絶査定に対する審判請求がなされると同時に手続補正書が提出され、平成２９年４月５日付けで拒絶理由通知（以下、「当審拒絶理由通知」という。）がされ、同年６月１日付けで手続補正がされたものである。
第２　原査定の概要
　原査定（平成２８年３月３１日付け拒絶査定）の概要は次のとおりである。
１．この出願は、特許請求の範囲の記載が下記の点で、特許法第３６条第６項第２号に規定する要件を満たしていない。
　「前記感光体から前記ベルトクリーナ２ーまでの距離」とは、感光体からベルトクリーナーまでの直線距離のことなのか、感光体からベルトクリーナーまでのベルトの周回方向に沿った距離のことなのか不明である。
２．この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・請求項　　：１〜６
・引用文献２：特開２００５−２５８３０８号公報
第３　当審拒絶理由の概要
　当審拒絶理由の概要は次のとおりである。
１．この出願は、特許請求の範囲の記載が下記の点で、特許法第３６条第６項第２号に規定する要件を満たしていない。
（１）請求項１の「クリーニング処理を実行する」及び「クリーニング処理が実行される」とは、「回収部材に回収された付着物を、各前記回収部材から前記感光体を経由して前記ベルトに転移させ」てから、「ベルトクリーナに除去させる」動作をいうのか、「ベルトクリーナに除去させる」動作のみをいうのか定かでない。
　また、「クリーニング処理を実行する」時間及び「クリーニング処理が実行される時間」とは、「回収部材に回収された付着物を、各前記回収部材から前記感光体を経由して前記ベルトに転移させ」てから、「ベルトクリーナに除去させる」までの時間をいうのか、「ベルトクリーナに除去させ」ている間のみの時間をいうのか定かでない。
（２）請求項１の「前記ベルトクリーナの位置を基準として、現像剤像が形成された前記感光体のうちの前記ベルトの周回方向の最上流側に配置される前記感光体が、前記第１感光体であるか前記第２感光体であるかを、前記画像データに基づいて判断する」と画像データによって「ベルトクリーナ」、「第１感光体」、及び「第２感光体」の相対的な配置関係が変わり得るとはどういうことなのか不明である。
２．この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・請求項　　：１〜６
・引用文献１：特開２００３−１６２１０９号公報
第４　本願発明
　本願の請求項１に係る発明は、平成２９年６月１日付けの手続補正によって補正された特許請求の範囲の記載からみて、その特許請求の範囲の請求項１に記載された次のとおりのものと認められる。（以下「本願発明」という。）
「【請求項１】
　単色のトナー像による画像または複数色のトナー像の重ね合わせによる画像を、受信した画像データに基づいてシートに形成する画像形成装置であって、
　所定方向に並列に配置されている複数の感光体と、
　前記感光体を帯電させる帯電器と、
　前記帯電器に帯電された前記感光体を露光することにより、前記感光体の表面に静電潜像を形成する露光器と、
　前記露光器に露光された前記感光体上の静電潜像にトナーを供給する現像器と、
　前記所定方向に走行し、各前記感光体に形成されるトナー像をシートに転写するためのベルトと、
　各前記感光体に対応して設けられ、トナー像がシートに転写された後に前記感光体に付着している付着物を回収する複数の回収部材と、
　前記ベルトに付着している付着物を除去するベルトクリーナと、
　各前記感光体、前記ベルトおよび各前記回収部材を制御して、各前記回収部材に回収された付着物を、各前記回収部材から対応する前記感光体を経由して前記ベルトに転移させてから、前記ベルトクリーナに除去させるクリーニング処理を実行するクリーニング処理実行部と、
　シートに形成される画像の色に基づいて、前記クリーニング処理が実行される時間を決定するクリーニング時間決定部とを含み、
　前記複数の感光体は、イエローに対応する感光体と、マゼンタに対応する感光体と、シアンに対応する感光体と、ブラックに対応する感光体と、を含み、
　前記複数の感光体および前記ベルトクリーナは、前記ベルトの周回方向において、前記ベルトクリーナ、イエローに対応する前記感光体、マゼンタに対応する前記感光体、シアンに対応する前記感光体、ブラックに対応する前記感光体の順に配置され、
　前記クリーニング時間決定部は、
　　シートにカラー画像が形成されたか否かを判断するカラー判断処理と、
　　前記カラー判断処理においてシートにカラー画像が形成されたと判断した場合に、イエローに対応する前記感光体にトナー像が形成されるか否かを前記画像データに基づいて判断する第１判断処理と、前記第１判断処理においてイエローに対応する前記感光体にトナー像が形成されないと判断した場合、マゼンタに対応する前記感光体にトナー像が形成されるか否かを前記画像データに基づいて判断する第２判断処理と、を含む感光体判断処理と、
　　前記感光体判断処理の第１判断処理においてイエローに対応する前記感光体にトナー像が形成されると判断した場合、前記クリーニング処理が実行される時間を、前記付着物がイエローに対応する前記感光体に対応する前記回収部材からイエローに対応する前記感光体を介して前記ベルトへ転移させられてから、さらに周回する前記ベルト上の前記付着物が前記ベルトクリーナまで移動するためにかかる第１時間に決定する第１決定処理と、
　　前記感光体判断処理の第２判断処理において、マゼンタに対応する前記感光体にトナー像が形成されると判断した場合、前記クリーニング処理が実行される時間を、前記付着物がマゼンタに対応する前記感光体に対応する前記回収部材からマゼンタに対応する前記感光体を介して前記ベルトへ転移させられてから、さらに周回する前記ベルト上の前記付着物が前記ベルトクリーナまで移動するためにかかる時間であって、前記第１時間よりも短い時間である第２時間に決定する第２決定処理と、
　　前記感光体判断処理の第２判断処理において、マゼンタに対応する前記感光体にトナー像が形成されないと判断した場合、前記クリーニング処理が実行される時間を、前記付着物がシアンに対応する前記感光体に対応する前記回収部材からシアンに対応する前記感光体を介して前記ベルトへ転移させられてから、さらに周回する前記ベルト上の前記付着物が前記ベルトクリーナまで移動するためにかかる時間であって、前記第２時間よりも短い時間である第３時間に決定する第３決定処理と、
　　前記カラー判断処理においてシートにカラー画像が形成されていないと判断した場合に、前記クリーニング処理が実行される時間を第３時間よりも短い第４時間に決定する第４決定処理とを実行する、画像形成装置。」
第５　引用文献、引用発明等
１．引用文献１について
　平成２９年４月５日付けの拒絶の理由に引用された、本願の出願日前である平成１５年６月６日に頒布された刊行物である引用文献１（特開２００３−１６２１０９号公報）には、図面と共に次の事項が記載されている。（なお、下線は審決で付した。以下同じ。）
（１）「【０００１】
【発明の属する技術分野】本発明は、例えばカラー複写機あるいはカラープリンタ等とされる、感光ドラム等の像坦持体に静電潜像を形成し、その静電潜像を現像することによってカラー画像を形成するカラー画像形成装置に関するものである。
【０００２】
【従来の技術】
カラー画像形成装置では電子写真方式
帯電装置によって感光ドラムを均一に帯電し、レーザまたはＬＥＤによって静電潜像を形成する。次にこの静電潜像をトナーによって現像し、このトナー像を用紙等の記録材に転写する。これをマゼンタ、シアン、イエロー、ブラックの色毎に行い、記録材に重ねたトナー像を熱によって記録材に定着させるという方法でカラー画像を形成している
（２）「【００３５】（２）カラープリンタ部Ａの構成
図１において、
Ｙ（イエロー）画像形成部３１７、Ｍ（マゼンタ）画像形成部３１８、Ｃ（シアン）画像形成部３１９、Ｋ（ブラック）画像形成部３２０は、それぞれクリーナーレスの電子写真画像形成機構であり、像担持体としての感光ドラム３４２、３４３、３４４、３４５、帯電器３２１、３２４、３２７、３３０、ＬＥＤ部２１０、２１１、２１２、２１３、現像器３２２、３２５、３２８、３３１、補助帯電器３６０、３６１、３６２、３６３を具備している
（３）「【００４２】
現像器３２２には、現像バイアスを印加して現像するためのスリーブ３４５が含まれている。現像器３２２の図中下方には転写帯電器３２３が転写部材としての転写ベルト３３３を挟んで配置され、転写ベルト３３３の背面から放電を行い、感光ドラム３４２上のトナー画像を、転写ベルト３３３上の記録紙などへ転写する
【００４３】この
転写後、感光ドラム３４２上に残留したトナー５０３は帯電器３２１に一旦取り込まれ、静電的特性を変化させて再び感光ドラム３４２上に戻し
（４）「【００４６】この後、記録紙等は、転写ベルト３３３によって搬送され、カラーモードの場合には、画像形成部３１７〜３２０の各転写帯電器３２３、３２６、３２９、３３２において、イエローＹ・マゼンタＭ・シアンＣ・ブラックＫの順にその表面にトナー画像が重畳転写されてカラートナー画像が合成形成される。」
（５）「【００５１】（３）ＬＥＤ画像記録
次に、図３によりＬＥＤ画像記録について説明する。図３において、
画像処理部からの信号は２値変換部２０１で２値化され、
【００５２】その後
２値化された画像信号は、
ＬＥＤ駆動２０６、２０７、２０８、２０９に送られる。ＬＥＤ駆動２０６、２０７、２０８、２０９はＬＥＤ２１０、２１１、２１２、２１３を駆動するための信号を生成する
（６）「【００７６】（５）その他
１）上記実施例では、帯電器から吐き出したトナーを現像器に回収したが、この時、
現像器の動作を止めることにより感光ドラム上の残留トナーを転写ベルト３３３へ転写して転写ベルトクリーナー３８０で回収する
（７）図１より、Ｙ（イエロー）画像形成部３１７、Ｍ（マゼンタ）画像形成部３１８、Ｃ（シアン）画像形成部３１９、Ｋ（ブラック）画像形成部３２０が、
所定方向に並列に配置されている
（８）上記（１）【０００２】の「帯電装置」と（２）【００３５】の「帯電器」とは、同義であるから、【０００２】の「帯電装置」は、「帯電器」と言い換える。また、上記（１）【０００２】の「トナー像」と（３）【００４２】の「トナー画像」とは、同義であるから、（３）【００４２】の「トナー画像」は、「トナー像」と言い換える。また、（１）【０００２】及び（５）より、画像処理部からの信号が２値化されＬＥＤ駆動に送られ、ＬＥＤを駆動するための信号が生成されるから、
画像処理部からの信号が２値化されＬＥＤ駆動に送られて、
（９）上記（４）、（６）及び図１より、
複数の感光ドラムおよびベルトクリーナーは、転写ベルトの周回方向において、ベルトクリーナ、イエローに対応する感光体、マゼンタに対応する感光体、シアンに対応する感光体、ブラックに対応する感光体の順に配置されている
　したがって、上記引用文献１には次の発明（以下、「引用発明１」という。）が記載されていると認められる。
「所定方向に並列に配置されているＹ（イエロー）画像形成部、Ｍ（マゼンタ）画像形成部、Ｃ（シアン）画像形成部、Ｋ（ブラック）画像形成部は、それぞれクリーナーレスの電子写真画像形成機構であり、像担持体としての感光ドラム、帯電器、ＬＥＤ部、現像器、補助帯電器を具備し、
　現像器には、現像バイアスを印加して現像するためのスリーブが含まれ、現像器の下方には転写帯電器が転写部材としての転写ベルトを挟んで配置され、
　帯電器によって感光ドラムを均一に帯電し、画像処理部からの信号が２値化されＬＥＤ駆動に送られて、レーザまたはＬＥＤによって静電潜像を形成し、次にこの静電潜像をトナーによって現像し、
　転写ベルトの背面から放電を行い、感光ドラム上のトナー像を、転写ベルト上の記録紙などへ転写し、これをマゼンタ、シアン、イエロー、ブラックの色毎に行い、記録材に重ねたトナー像を熱によって記録材に定着させるという方法でカラー画像を形成している電子写真方式のカラー画像形成装置において、
　複数の感光ドラムおよびベルトクリーナーは、転写ベルトの周回方向において、ベルトクリーナ、イエローに対応する感光ドラム、マゼンタに対応する感光ドラム、シアンに対応する感光ドラム、ブラックに対応する感光ドラムの順に配置され、
　転写後、感光ドラム上に残留したトナーは帯電器に一旦取り込まれ、静電的特性を変化させて再び感光ドラム上に戻し、
　現像器の動作を止めることにより感光ドラム上の残留トナーを転写ベルトへ転写して転写ベルトクリーナーで回収する、電子写真方式のカラー画像形成装置。」
２．引用文献２について
　原審の拒絶の理由に引用された、本願の出願日前である平成１７年９月２２日に頒布された刊行物である引用文献２（特開２００５−２５８３０８号公報）には、図面と共に次の事項が記載されている。
（１）「【技術分野】
【０００１】
　本発明は、
像担持体上に形成された静電潜像をトナーによって現像し、像担持体上の現像されたトナー像を記録媒体に転写することによって画像を形成する画像形成装置
（２）「【０００４】
　また、一旦記録媒体に転写されたものの、再び感光体ドラムに付着するトナー（リトランスファートナー）も存在する。なお、カラー画像の形成に対応した画像形成装置では、
異なる色の画像を重ねて転写することによってカラー画像を得るため、転写時に、既に転写済みの他色のトナーが感光体ドラム上に付着することもある。」
（３）「【００２９】
　なお、本実施の形態における
画像形成装置１０は、カラー画像の形成にも対応しており、イエロー（Ｙ）、マゼンタ（Ｍ）、シアン（Ｃ）、ブラック（Ｋ）の４色に対応するトナー像を形成する画像形成ユニット１５Ｙ、１５Ｍ、１５Ｃ、１５Ｋがそれぞれ配設されている
【００３０】
　
各画像形成ユニット１５により形成された互いに異なる色のトナー像は、中間転写体ベルト１４のベルト面上で、互いに重なり合うように中間転写体ベルト１４に各々転写される。これにより、中間転写体ベルト１４上にカラーのトナー像が形成される
（４）「【００３５】
　図２には、画像形成ユニット１５の構成が示されている。なお、
各画像形成ユニット１５の構成は同様である
【００３６】
　同図に示されるように、
画像形成ユニット１５は、中間転写体ベルト１４に接するように配設され、矢印Ｆ方向に所定速度で回転する感光体ドラム１６を備えている
【００３７】
　
各感光体ドラム１６の周面には、感光体ドラム１６を帯電させるための帯電ローラ１８が配置されている
【００３８】
　帯電ローラ１８には、ＤＣ成分とＡＣ成分とが重畳された所定の電圧（本実施の形態では、ＤＣ電圧−５００Ｖ）が印加され、感光体ドラム１６の回転に追従するように回転しながら、感光体ドラム１６の表面を所定の電位（本実施の形態では、約−５００Ｖ）に一様に帯電させる。
【００３９】
　また、
各感光体ドラム１６の回転方向Ｆの帯電ローラ１８よりも下流側の周面には、感光体ドラム１６上に静電潜像を形成するための露光器２０が備えられている
露光器２０は、
画像データに基づく光ビームを走査しながら照射する
【００４０】
　さらに、
各感光体ドラム１６の回転方向Ｆの露光器２０よりも下流側の周囲には、感光体ドラム１６上に形成された静電潜像を所定色（イエロー／マゼンタ／シアン／ブラック）のトナーによって現像してトナー像を形成させる現像器２２が配設されている
（５）「【００４７】
　そこで、
感光体ドラム１６の周面の転写ローラ２５よりも下流側には、感光体ドラム１６上の転写残トナー又はリトランスファートナーを一時的に保持するクリーニングロール２４が配置されている
…
【００４９】
　なお、
負極性の転写残トナーについては、クリーニングロール２４では回収されず、感光体ドラム１６上に付着したまま感光体ドラム１６に対する帯電及び露光が行なわれ、非画像部に付着している転写残トナーについては、現像器２２の現像ローラ３８に付着したキャリア及びトナーとの摺擦により現像器２２内に回収される
【００５０】
　
クリーニングロール２４によって回収されたリトランスファートナーは、ジョブが終了した場合等の非画像形成時に実行されるクリーニングモードによって、感光体ドラム１６上に吐き出される
【００５１】
　クリーニングモードでは、クリーニングロール２４は正極性（本実施の形態では、＋５００Ｖ）に帯電されると共に、感光体ドラム１６の回転方向とは異なる方向に（感光体ドラム１６の回転に追従するように）回転される。これにより、クリーニングロール２４に保持されていた正極性のリトランスファートナーが感光体ドラム１６上に吐き出される。
【００５２】
　このようにして
感光体ドラム１６上に吐き出されたリトランスファートナーは、感光体ドラム１６の回転により転写位置まで搬送される
【００５３】
　クリーニングモードでは、転写ローラ２５は負極性に帯電されるようになっており、
転写位置まで搬送されたリトランスファートナーは、転写ローラ２５によって中間転写体ベルト１４上に転写され、中間転写体ベルト１４によってクリーナ３２へと搬送され、クリーナ３２のブレード３４によって擦り取られる
（６）図１より、
複数の感光体ドラムおよびクリーナのブレードは、中間転写体ベルトの周回方向において、クリーナのブレード、イエローに対応する感光体ドラム、マゼンタに対応する感光体ドラム、シアンに対応する感光体ドラム、ブラックに対応する感光体ドラムの順に配置されている
　したがって、上記引用文献２には次の発明（以下、「引用発明２」という。）が記載されていると認められる。
「像担持体上に形成された静電潜像をトナーによって現像し、像担持体上の現像されたトナー像を記録媒体に転写することによって画像を形成する画像形成装置であって、
　カラー画像の形成にも対応しており、イエロー（Ｙ）、マゼンタ（Ｍ）、シアン（Ｃ）、ブラック（Ｋ）の４色に対応するトナー像を形成する画像形成ユニット１５Ｙ、１５Ｍ、１５Ｃ、１５Ｋがそれぞれ配設され、複数の感光体ドラムおよびクリーナのブレードは、中間転写体ベルトの周回方向において、クリーナのブレード、イエローに対応する感光体ドラム、マゼンタに対応する感光体ドラム、シアンに対応する感光体ドラム、ブラックに対応する感光体ドラムの順に配置され、
　各画像形成ユニットにより形成された互いに異なる色のトナー像は、中間転写体ベルトのベルト面上で、互いに重なり合うように中間転写体ベルトに各々転写され、これにより、中間転写体ベルト上にカラーのトナー像が形成され、
　各画像形成ユニットの構成は同様であって、
　画像形成ユニットは、中間転写体ベルトに接するように配設され、所定速度で回転する感光体ドラムを備え、
　各感光体ドラムの周面には、感光体ドラムを帯電させるための帯電ローラが配置され、
　各感光体ドラムの回転方向の帯電ローラよりも下流側の周面には、感光体ドラム上に静電潜像を形成するための露光器が備えられ、露光器は、画像データに基づく光ビームを走査しながら照射し、
　各感光体ドラムの回転方向の露光器よりも下流側の周囲には、感光体ドラム上に形成された静電潜像を所定色（イエロー／マゼンタ／シアン／ブラック）のトナーによって現像してトナー像を形成させる現像器が配設され、
　感光体ドラムの周面の転写ローラよりも下流側には、感光体ドラム上の転写残トナー又はリトランスファートナーを一時的に保持するクリーニングロールが配置され、
　負極性の転写残トナーについては、クリーニングロールでは回収されず、感光体ドラム上に付着したまま感光体ドラムに対する帯電及び露光が行なわれ、非画像部に付着している転写残トナーについては、現像器の現像ローラに付着したキャリア及びトナーとの摺擦により現像器内に回収され、
　クリーニングロールによって回収されたリトランスファートナーは、ジョブが終了した場合等の非画像形成時に実行されるクリーニングモードによって、感光体ドラム上に吐き出され、
　感光体ドラム上に吐き出されたリトランスファートナーは、感光体ドラムの回転により転写位置まで搬送され、
　転写位置まで搬送されたリトランスファートナーは、転写ローラによって中間転写体ベルト上に転写され、中間転写体ベルトによってクリーナへと搬送され、クリーナのブレードによって擦り取られる、画像形成装置。」
第６　対比・判断
１．対比
　本願発明と引用発明１とを対比すると、
（１）後者の「トナー像」、「カラー画像」、「記録材」、「電子写真方式のカラー画像形成装置」、「感光ドラム」、「帯電器」、「ＬＥＤ部」、「現像器」、「転写ベルト」、及び「ベルトクリーナー」は、それぞれ、前者の「トナー像」、「画像」、「シート」、「画像形成装置」、「感光体」、「感光体を帯電させる帯電器」、「帯電器に帯電された感光体を露光することにより、感光体の表面に静電潜像を形成する露光器」、「露光器に露光された感光体上の静電潜像にトナーを供給する現像器」、「所定方向に走行し、各前記感光体に形成されるトナー像をシートに転写するためのベルト」、及び「ベルトに付着している付着物を除去するベルトクリーナ」に相当する。
（２）後者の「電子写真方式のカラー画像形成装置」は、画像処理部からの信号が２値化されＬＥＤ駆動に送られて、レーザまたはＬＥＤによって静電潜像が形成され、この静電潜像をトナーによって現像し、転写ベルトの背面から放電を行い、感光ドラム上のトナー像を、転写ベルト上の記録紙などへ転写し、マゼンタ、シアン、イエロー、ブラックの色毎に、記録材に重ねたトナー像を熱によって記録材に定着させてカラー画像を形成するものであるから、「複数色のトナー像の重ね合わせによる画像を、受信した画像データに基づいてシートに形成する画像形成装置」といえる。
（３）後者の「感光ドラム」は、所定方向に並列に配置されているＹ（イエロー）画像形成部、Ｍ（マゼンタ）画像形成部、Ｃ（シアン）画像形成部、Ｋ（ブラック）画像形成部に備えられたものであるから、「所定方向に並列に配置されている複数の感光体」といえ、「複数の感光体は、イエローに対応する感光体と、マゼンタに対応する感光体と、シアンに対応する感光体と、ブラックに対応する感光体と、を含」むといえる。
（４）後者の「所定方向に並列に配置されているＹ（イエロー）画像形成部、Ｍ（マゼンタ）画像形成部、Ｃ（シアン）画像形成部、Ｋ（ブラック）画像形成部は、それぞれクリーナーレスの電子写真画像形成機構」であり、「帯電器を具備し」、「転写後、感光ドラム上に残留したトナーは帯電器に一旦取り込まれ」るものであるから、後者の「帯電器」は、「各感光体に対応して設けられ、トナー像がシートに転写された後に感光体に付着している付着物を回収する複数の回収部材」といえる。
（５）後者の「転写後、感光ドラム上に残留したトナーは帯電器に一旦取り込まれ、静電的特性を変化させて再び感光ドラム上に戻し、現像器の動作を止めることにより感光ドラム上の残留トナーを転写ベルトへ転写して転写ベルトクリーナーで回収する」ことは、前者の「各感光体、ベルトおよび各回収部材を制御して、各回収部材に回収された付着物を、各回収部材から対応する感光体を経由してベルトに転移させてから、ベルトクリーナに除去させるクリーニング処理」に相当するから、後者の「電子写真方式のカラー画像形成装置」は、前者の「クリーニング処理実行部」を有するといえる。
（６）後者の「複数の感光ドラムおよびベルトクリーナー」は、転写ベルトの周回方向において、ベルトクリーナ、イエローに対応する感光ドラム、マゼンタに対応する感光ドラム、シアンに対応する感光ドラム、ブラックに対応する感光ドラムの順に配置されているから、「複数の感光体およびベルトクリーナは、ベルトの周回方向において、ベルトクリーナ、イエローに対応する感光体、マゼンタに対応する感光体、シアンに対応する感光体、ブラックに対応する感光体の順に配置され」ているといえる。
　したがって、両者は、
「単色のトナー像による画像または複数色のトナー像の重ね合わせによる画像を、受信した画像データに基づいてシートに形成する画像形成装置であって、
　所定方向に並列に配置されている複数の感光体と、
　前記感光体を帯電させる帯電器と、
　前記帯電器に帯電された前記感光体を露光することにより、前記感光体の表面に静電潜像を形成する露光器と、
　前記露光器に露光された前記感光体上の静電潜像にトナーを供給する現像器と、
　前記所定方向に走行し、各前記感光体に形成されるトナー像をシートに転写するためのベルトと、
　各前記感光体に対応して設けられ、トナー像がシートに転写された後に前記感光体に付着している付着物を回収する複数の回収部材と、
　前記ベルトに付着している付着物を除去するベルトクリーナと、
　各前記感光体、前記ベルトおよび各前記回収部材を制御して、各前記回収部材に回収された付着物を、各前記回収部材から対応する前記感光体を経由して前記ベルトに転移させてから、前記ベルトクリーナに除去させるクリーニング処理を実行するクリーニング処理実行部と、
　前記複数の感光体は、イエローに対応する感光体と、マゼンタに対応する感光体と、シアンに対応する感光体と、ブラックに対応する感光体と、を含み、
　前記複数の感光体および前記ベルトクリーナは、前記ベルトの周回方向において、前記ベルトクリーナ、イエローに対応する前記感光体、マゼンタに対応する前記感光体、シアンに対応する前記感光体、ブラックに対応する前記感光体の順に配置される、画像形成装置。」
の点で一致し、以下の点で相違する。
［相違点］
　本願発明が、「シートに形成される画像の色に基づいて、前記クリーニング処理が実行される時間を決定するクリーニング時間決定部とを含み」、「前記クリーニング時間決定部は、シートにカラー画像が形成されたか否かを判断するカラー判断処理と、前記カラー判断処理においてシートにカラー画像が形成されたと判断した場合に、イエローに対応する前記感光体にトナー像が形成されるか否かを前記画像データに基づいて判断する第１判断処理と、前記第１判断処理においてイエローに対応する前記感光体にトナー像が形成されないと判断した場合、マゼンタに対応する前記感光体にトナー像が形成されるか否かを前記画像データに基づいて判断する第２判断処理と、を含む感光体判断処理と、前記感光体判断処理の第１判断処理においてイエローに対応する前記感光体にトナー像が形成されると判断した場合、前記クリーニング処理が実行される時間を、前記付着物がイエローに対応する前記感光体に対応する前記回収部材からイエローに対応する前記感光体を介して前記ベルトへ転移させられてから、さらに周回する前記ベルト上の前記付着物が前記ベルトクリーナまで移動するためにかかる第１時間に決定する第１決定処理と、前記感光体判断処理の第２判断処理において、マゼンタに対応する前記感光体にトナー像が形成されると判断した場合、前記クリーニング処理が実行される時間を、前記付着物がマゼンタに対応する前記感光体に対応する前記回収部材からマゼンタに対応する前記感光体を介して前記ベルトへ転移させられてから、さらに周回する前記ベルト上の前記付着物が前記ベルトクリーナまで移動するためにかかる時間であって、前記第１時間よりも短い時間である第２時間に決定する第２決定処理と、前記感光体判断処理の第２判断処理において、マゼンタに対応する前記感光体にトナー像が形成されないと判断した場合、前記クリーニング処理が実行される時間を、前記付着物がシアンに対応する前記感光体に対応する前記回収部材からシアンに対応する前記感光体を介して前記ベルトへ転移させられてから、さらに周回する前記ベルト上の前記付着物が前記ベルトクリーナまで移動するためにかかる時間であって、前記第２時間よりも短い時間である第３時間に決定する第３決定処理と、前記カラー判断処理においてシートにカラー画像が形成されていないと判断した場合に、前記クリーニング処理が実行される時間を第３時間よりも短い第４時間に決定する第４決定処理とを実行する」ものであるのに対し、引用発明１は、その点明らかでない点。
２．相違点についての判断
　相違点に係る本願発明の発明特定事項は、上記引用発明１には記載されていないし、設計的事項といえる理由もない。
　そして、本願発明は、上記相違点に係る本願発明の発明特定事項により、「そこで、クリーニング処理が実行される時間（クリーニング時間）の長さは、シートに形成される画像の色に基づいて決定される。たとえば、シートに単色の画像が形成される場合、その現像剤像が形成された感光体の位置に基づいて、クリーニング時間の長さが決定されるとよい。これにより、クリーニング時間を現像剤像が形成された感光体の位置からベルトクリーナまでの所定方向の長さに応じた適切な時間に設定することができる。
　よって、クリーニング処理に長い時間が無駄に費やされることを防止でき、クリーニング処理前の画像形成動作の終了からクリーニング処理後の画像形成動作の開始までの時間を短くすることができる。」（【００１２】及び【００１３】参照。）という作用効果を奏するものである。
　したがって、本願発明は、引用発明１に基づいて、当業者が容易に発明をすることができたものとすることはできない。　
　なお、後記「第８　２．」で示すように、原審で提示された上記引用文献２を見ても、上記相違点に係る本願発明の発明特定事項は記載されていない。　
第７　当審拒絶理由（特許法第３６条第６項第２号）について
　当審では、請求項１の「クリーニング処理を実行する」、「クリーニング処理が実行される」、「クリーニング処理を実行する」時間、「クリーニング処理が実行される時間」、「前記ベルトクリーナの位置を基準として、現像剤像が形成された前記感光体のうちの前記ベルトの周回方向の最上流側に配置される前記感光体が、前記第１感光体であるか前記第２感光体であるかを、前記画像データに基づいて判断する」という記載の意味が不明確であるとの拒絶の理由を通知しているが、平成２９年６月１日付けの補正において、
「各前記感光体、前記ベルトおよび各前記回収部材を制御して、各前記回収部材に回収された付着物を、各前記回収部材から対応する前記感光体を経由して前記ベルトに転移させてから、前記ベルトクリーナに除去させるクリーニング処理を実行するクリーニング処理実行部と、
　シートに形成される画像の色に基づいて、前記クリーニング処理が実行される時間を決定するクリーニング時間決定部とを含み」
、及び
「前記クリーニング時間決定部は、
　　シートにカラー画像が形成されたか否かを判断するカラー判断処理と、
　　前記カラー判断処理においてシートにカラー画像が形成されたと判断した場合に、イエローに対応する前記感光体にトナー像が形成されるか否かを前記画像データに基づいて判断する第１判断処理と、前記第１判断処理においてイエローに対応する前記感光体にトナー像が形成されないと判断した場合、マゼンタに対応する前記感光体にトナー像が形成されるか否かを前記画像データに基づいて判断する第２判断処理と、を含む感光体判断処理と、
　　前記感光体判断処理の第１判断処理においてイエローに対応する前記感光体にトナー像が形成されると判断した場合、前記クリーニング処理が実行される時間を、前記付着物がイエローに対応する前記感光体に対応する前記回収部材からイエローに対応する前記感光体を介して前記ベルトへ転移させられてから、さらに周回する前記ベルト上の前記付着物が前記ベルトクリーナまで移動するためにかかる第１時間に決定する第１決定処理と、
　　前記感光体判断処理の第２判断処理において、マゼンタに対応する前記感光体にトナー像が形成されると判断した場合、前記クリーニング処理が実行される時間を、前記付着物がマゼンタに対応する前記感光体に対応する前記回収部材からマゼンタに対応する前記感光体を介して前記ベルトへ転移させられてから、さらに周回する前記ベルト上の前記付着物が前記ベルトクリーナまで移動するためにかかる時間であって、前記第１時間よりも短い時間である第２時間に決定する第２決定処理と、
　　前記感光体判断処理の第２判断処理において、マゼンタに対応する前記感光体にトナー像が形成されないと判断した場合、前記クリーニング処理が実行される時間を、前記付着物がシアンに対応する前記感光体に対応する前記回収部材からシアンに対応する前記感光体を介して前記ベルトへ転移させられてから、さらに周回する前記ベルト上の前記付着物が前記ベルトクリーナまで移動するためにかかる時間であって、前記第２時間よりも短い時間である第３時間に決定する第３決定処理と、
　　前記カラー判断処理においてシートにカラー画像が形成されていないと判断した場合に、前記クリーニング処理が実行される時間を第３時間よりも短い第４時間に決定する第４決定処理とを実行する」
と補正された結果、この拒絶の理由は解消した。
第８　原査定についての判断
１．特許法第３６条第６項第２号違反について
　原審では、請求項１の「前記感光体から前記ベルトクリーナ２ーまでの距離」という記載の意味が不明確であるとの拒絶の理由を通知しているが、平成２９年６月１日付けの補正において、上記記載は削除された結果、この拒絶の理由は、解消された。
２．特許法第２９条第２項違反について
　本願発明と引用発明２とを対比すると、
（１）後者の「トナー像」、「カラー画像」、「記録媒体」、「画像形成装置」、「感光体ドラム」、「帯電ローラ」、「露光器」、「現像器」、「中間転写体ベルト」、「クリーニングロール」、及び「クリーナのブレード」は、それぞれ、前者の「トナー像」、「画像」、「シート」、「画像形成装置」、「感光体」、「感光体を帯電させる帯電器」、「帯電器に帯電された感光体を露光することにより、感光体の表面に静電潜像を形成する露光器」、「露光器に露光された感光体上の静電潜像にトナーを供給する現像器」、「所定方向に走行し、各前記感光体に形成されるトナー像をシートに転写するためのベルト」、「回収部材」、及び「ベルトに付着している付着物を除去するベルトクリーナ」に相当する。
（２）後者の「画像形成装置」は、像担持体上に形成された静電潜像をトナーによって現像し、像担持体上の現像されたトナー像を記録媒体に転写することによって画像を形成するものであって、各画像形成ユニットにより形成された互いに異なる色のトナー像は、中間転写体ベルトのベルト面上で、互いに重なり合うように中間転写体ベルトに各々転写され、これにより、中間転写体ベルト上にカラーのトナー像が形成されるものであるから、「複数色のトナー像の重ね合わせによる画像を、受信した画像データに基づいてシートに形成する画像形成装置」といえる。
（３）後者の「複数の感光体ドラムおよびクリーナのブレード」は、「中間転写体ベルトの周回方向において、クリーナのブレード、イエローに対応する感光体ドラム、マゼンタに対応する感光体ドラム、シアンに対応する感光体ドラム、ブラックに対応する感光体ドラムの順に配置され」ているものであるから、「複数の感光体は、イエローに対応する感光体と、マゼンタに対応する感光体と、シアンに対応する感光体と、ブラックに対応する感光体と、を含み、前記複数の感光体およびベルトクリーナは、ベルトの周回方向において、前記ベルトクリーナ、イエローに対応する前記感光体、マゼンタに対応する前記感光体、シアンに対応する前記感光体、ブラックに対応する前記感光体の順に配置される」といえる。
（４）後者の「クリーニングロール」は、感光体ドラムの周面の転写ローラよりも下流側に配置され、感光体ドラム上の転写残トナー又はリトランスファートナーを一時的に保持するものであるから、「各感光体に対応して設けられ、トナー像がシートに転写された後に感光体に付着している付着物を回収する複数の回収部材」といえる。
（５）後者の「クリーニングロールによって回収されたリトランスファートナーは、ジョブが終了した場合等の非画像形成時に実行されるクリーニングモードによって、感光体ドラム上に吐き出され、感光体ドラム上に吐き出されたリトランスファートナーは、感光体ドラムの回転により転写位置まで搬送され、転写位置まで搬送されたリトランスファートナーは、転写ローラによって中間転写体ベルト上に転写され、中間転写体ベルトによってクリーナへと搬送され、クリーナのブレードによって擦り取られる」ことは、前者の「各感光体、ベルトおよび各回収部材を制御して、各回収部材に回収された付着物を、各回収部材から対応する感光体を経由してベルトに転移させてから、ベルトクリーナに除去させるクリーニング処理」に相当するから、後者の「画像形成装置」は、前者の「クリーニング処理実行部」を有するといえる。
（６）後者の「複数の感光体ドラムおよびクリーナのブレード」は、中間転写体ベルトの周回方向において、クリーナのブレード、イエローに対応する感光体ドラム、マゼンタに対応する感光体ドラム、シアンに対応する感光体ドラム、ブラックに対応する感光体ドラムの順に配置されているから、「複数の感光体およびベルトクリーナは、ベルトの周回方向において、ベルトクリーナ、イエローに対応する感光体、マゼンタに対応する感光体、シアンに対応する感光体、ブラックに対応する感光体の順に配置され」ているといえる。
　したがって、両者は、
「単色のトナー像による画像または複数色のトナー像の重ね合わせによる画像を、受信した画像データに基づいてシートに形成する画像形成装置であって、
　所定方向に並列に配置されている複数の感光体と、
　前記感光体を帯電させる帯電器と、
　前記帯電器に帯電された前記感光体を露光することにより、前記感光体の表面に静電潜像を形成する露光器と、
　前記露光器に露光された前記感光体上の静電潜像にトナーを供給する現像器と、
　前記所定方向に走行し、各前記感光体に形成されるトナー像をシートに転写するためのベルトと、
　各前記感光体に対応して設けられ、トナー像がシートに転写された後に前記感光体に付着している付着物を回収する複数の回収部材と、
　前記ベルトに付着している付着物を除去するベルトクリーナと、
　各前記感光体、前記ベルトおよび各前記回収部材を制御して、各前記回収部材に回収された付着物を、各前記回収部材から対応する前記感光体を経由して前記ベルトに転移させてから、前記ベルトクリーナに除去させるクリーニング処理を実行するクリーニング処理実行部と、
　前記複数の感光体は、イエローに対応する感光体と、マゼンタに対応する感光体と、シアンに対応する感光体と、ブラックに対応する感光体と、を含み、
　前記複数の感光体および前記ベルトクリーナは、前記ベルトの周回方向において、前記ベルトクリーナ、イエローに対応する前記感光体、マゼンタに対応する前記感光体、シアンに対応する前記感光体、ブラックに対応する前記感光体の順に配置される、画像形成装置。」
の点で一致し、上記「第６　対比・判断　１．対比」における［相違点］と同じ点で相違する。
　そして、上記「第６　対比・判断　２．相違点についての判断」で検討したとおり、上記［相違点］は、いずれの引用発明にも記載されていないし、設計的事項といえる理由もない。
　したがって、本願発明は、引用発明２に基づいて、当業者が容易に発明をすることができたものとすることはできない。　
第９　むすび
　以上のとおり、原査定の理由によって、本願を拒絶することはできない。
　他に本願を拒絶すべき理由を発見しない。
　よって、結論のとおり審決する。